(57)【特許請求の範囲】
【請求項１】
受光素子の左右各出力に基づいてプリ情報信号が含まれたプッシュプル信号を生成するプッシュプル回路と、前記プッシュプル回路から得られるプッシュプル信号に基づいてマーク期間ビーム強度に対応するプリピットを検出するマーク期間ビーム強度用のプリピット検出回路と、
前記プッシュプル回路から得られるプッシュプル信号に基づいてスペース期間ビーム強度に対応するプリピットを検出するスペース期間ビーム強度用のプリピット検出回路と、を有し、
両プリピット検出回路の出力の論理和をプリピット検出信号として最終的に出力するプリピット検出装置において、
前記両プリピット検出回路内におけるプリピット検出用比較器の前段に、前記プッシュプル回路から得られるラジアルプッシュプル信号の最大振幅を基準値に一致させるＡＧＣ回路を設け、
前記プリピット検出用比較器における、プリピット検出用の閾値が、前記プッシュプル信号の最大振幅が一致されるべき基準値に基づいて設定されていることを特徴とするプリピット検出装置。
【請求項２】
マーク期間ビーム強度用並びにスペース期間ビーム強度用のプリピット検出回路が、プリ情報信号生成用プッシュプル回路の出力側に並列に設けられていることを特徴とする請求項１に記載のプリピット検出装置。
【請求項３】
プリ情報信号生成用プッシュプル回路を構成する差演算部の各入力系に、受光素子から得られる信号の最大振幅を基準値に一致させるＡＧＣ回路を設けたことを特徴とする請求項１に記載のプリピット検出装置。
【請求項４】
ＡＧＣ回路が、プッシュプル信号の振幅を調整する可変利得増幅器と、該可変利得増幅器の出力信号の振幅を検出する振幅検出器と、該振幅検出器の出力値と所定の基準値とに基づいて前記可変利得増幅器の利得を制御するための利得制御信号を生成する差演算回路とを含み、かつ前記振幅検出器が、前段に位置する時定数の小さい第１のピークホールド回路と、後段に位置する時定数の大きな第２のピークホールド回路とを含むことを特徴とする請求項１に記載のプリピット検出装置。
【請求項５】
第１のピークホールド回路と第２のピークホールド回路との間に振幅制限回路が介在されていることを特徴とする請求項４に記載のプリピット検出装置。
【発明の詳細な説明】
【０００１】
【発明の属する技術分野】
この発明は、例えばＤＶＤ−Ｒ，ＤＶＤ−ＲＷ等の高密度記録媒体を対象とした記録再生装置に好適なプリピット検出装置に係り、特に、ラジアルプッシュプル信号の振幅レベルに変動があっても、プリピットを確実に検出できるようにしたプリピット検出装置に関する。
【０００２】
【従来の技術】
例えば、特開平１０−２８３６３８号公報等に記載されているように、ＤＶＤ−ＲやＤＶＤ−ＲＷ等の高密度記録媒体を対象とする記録再生装置には、ビーム強度がマーク期間強度並びにスペース期間強度のいずれにある状態においても、記録媒体上のプリピットを確実に検出可能としたプリピット検出装置が内蔵されている。
【０００３】
このようなプリピット検出装置の具体的な構成の一例が図１１〜図１３に、またその動作波形図が図１４に示されている。図１１に示されるように、このプリピット検出装置の基本構成は、プリ情報信号生成用プッシュプル回路２００の出力側に、マーク期間ビーム強度に対応するプリピット検出回路３００とスペース期間ビーム強度に対応するプリピット検出回路４００とを並列に設け、両プリピット検出回路３００，４００の出力の論理和をプリピット検出信号（ｌ）として最終的に出力するものである。
【０００４】
なお、図１１において、１０１はディスクからの反射光を受光して、Ａ〜Ｄ領域からなる４系統の受光信号を出力する４分割ディテクタ（受光素子）、１０２は４分割ディテクタ１０１のＡ領域受光信号とＤ領域受光信号とを加算してプッシュプル回路２００に対する左側領域受光信号（ａ−１）を生成する加算部（例えば、ＯＰアンプを使用した加算回路等で構成される）、１０３は４分割ディテクタ１０１のＢ領域受光信号とＣ領域受光信号とを加算してプッシュプル回路２００に対する右側領域受光信号（ａ−２）を生成する加算部、１０４は記録情報（Ｄａｔａ）をデジタル変調技術を利用して符号化するＤＶＤエンコーダ、１０５はＤＶＤエンコーダ１０４から得られるＮＲＺＩ信号とＮＲＺＩＣＫ信号とに基づいてゲート信号（ｈ−１，ｈ−２）を生成するゲート信号発生器、１０６は両プリピット検出回路３００，４００の出力（ｉ−１，ｉ−２）の論理和を得るための論理和演算部である。
【０００５】
プッシュプル回路２００の内部構成が図１２に示されている。同図に示されるように、プッシュプル回路２００は、左側領域受光信号（ａ−１）と右側領域受光信号（ａ−２）とを減算して、プリ情報信号であるラジアルプッシュプル信号（ｄ）を生成する減算部（例えば、ＯＰアンプを使用した加算回路等で構成される）２０１を有している。
【０００６】
プリピット検出回路３００，４００の内部構成が図１３に示されている。同図に示されるように、マーク期間ビーム強度に対応するプリピット検出回路３００は、プッシュプル回路２００から出力されるラジアルプッシュプル信号（ｄ）を一定の利得で増幅する（固定利得）増幅器３０１と、増幅器３０１の出力信号（ｆ−１）を閾値電圧（ＶＴ１）であるマーク相当電圧（ＶMark）と比較することにより、プリピットを検出する比較器３０３と、ゲート信号（ｈ−１）にて開閉制御されて比較器３０３の出力信号（ｇ−１）を通過させるサンプリングゲート３０４とを有している。同様にして、スペース期間ビーム強度に対応するプリピット検出回路４００は、プッシュプル回路２００から出力されるラジアルプッシュプル信号（ｄ）を一定の利得で増幅する（固定利得）増幅器４０１と、増幅器４０１の出力信号（ｆ−２）を閾値電圧（ＶＴ２）であるスペース相当電圧（ＶSpace）と比較することにより、プリピットを検出する比較器４０３と、ゲート信号（ｈ−２）にて開閉制御されて比較器４０３の出力信号（ｇ−２）を通過させるサンプリングゲート４０４とを有している。
【０００７】
なお、比較器３０３，４０３における比較動作は、いわゆる浮動２値化方式が採用されている。そのため、マーク相当電圧（ＶMark）並びにスペース相当電圧（ＶSpace）は、ラジアルプッシュプル信号（ｄ）の低域成分を所定値だけレベルシフトすることで生成される。
【０００８】
【発明が解決しようとする課題】
ところで、この種の記録再生装置にあっては、使用環境の変化によりレーザ発振器に光軸変動が生じたり、ピックアップに光学的な収差が存在したり、ディスクの反射率の内外収差が存在したりすることに起因して、受光素子に入射されるディスクからの反射光の光量バランスが崩れ、その結果、ラジアルプッシュプル信号（ｄ）の振幅レベルに変動（外乱）が生ずることがある。
【０００９】
このような状態が生ずると、従来のプリピット検出装置にあっては、そのようなラジアルプッシュプル信号（ｄ）の振幅レベル変動の影響は、増幅器３０１，４０１の出力信号（ｆ−１，ｆ−２）にそのまま敏感に現れる。これに対して、その後段に配置される比較器３０３，４０３の閾値電圧ＶＴ１，ＶＴ２であるマーク相当電圧（ＶMark），スペース相当電圧（ＶSpace）の値は、ラジアルプッシュプル信号（ｄ）の低域成分を所定値だけレベルシフトすることで生成したものであるから、ラジアルプッシュプル信号（ｄ）の最大振幅レベルに対する変動は比較的に緩慢なものとならざるを得ない。
【００１０】
その結果、図１４の波形図に示されるように、ラジアルプッシュプル信号（ｄ）の振幅レベルが急激に変動すると、これに追従して増幅器３０１の出力信号（ｆ−１）も変動するため、比較器３０３の出力信号（ｇ−１）をサンプリングゲート３０４でゲーティングしてなるプリピット検出信号（ｌ）には、パルス幅並びに位相が正常でない異常パルスが現れたり、存在しないはずのプリピットパルスが現れて（誤検出）、プリフォーマットデータの誤認により、アドレス検索やスピンドル制御等に支障を来すと言う問題点がある。
【００１１】
この発明は、従来のプリピット検出装置における上述の問題点に着目してなされたものであり、その目的とするところは、ラジアルプッシュプル信号の振幅レベルに変動があっても、プリピットを正確に検出できるようにしたプリピット検出装置を提供することにある。
【００１２】
【課題を解決するための手段】
上記の目的を達成するために、この出願の発明は、受光素子の左右各出力に基づいてプリ情報信号が含まれたプッシュプル信号を生成するプッシュプル回路と、前記プッシュプル回路から得られるプッシュプル信号に基づいてマーク期間ビーム強度に対応するプリピットを検出するマーク期間ビーム強度用のプリピット検出回路と、前記プッシュプル回路から得られるプッシュプル信号に基づいてスペース期間ビーム強度に対応するプリピットを検出するスペース期間ビーム強度用のプリピット検出回路と、を有し、両プリピット検出回路の出力の論理和をプリピット検出信号として最終的に出力するプリピット検出装置において、前記両プリピット検出回路内におけるプリピット検出用比較器の前段に、前記プッシュプル回路から得られるラジアルプッシュプル信号の最大振幅を基準値に一致させるＡＧＣ回路を設け、前記プリピット検出用比較器における、プリピット検出用の閾値が、前記プッシュプル信号の最大振幅が一致されるべき基準値に基づいて設定されていることを特徴とするものである。
【００１３】
ここで、マーク期間ビーム強度用並びにスペース期間ビーム強度用のプリピット検出回路は、例えば、プリ情報信号生成用プッシュプル回路の出力側に並列に設けることができる。
【００１４】
このような構成によれば、ラジアルプッシュプル信号の振幅レベルが変動しても、プリピット検出用比較器の比較入力は基準値以内に維持されるため、プリピット検出用比較器の比較基準となる閾値電圧を適正に設定する限り、プリピット検出信号中に、パルス幅並びに位相が正常でない異常パルスが現れたり、存在しないはずのプリピットパルスが現れて（誤検出）、プリフォーマットデータの誤認により、アドレス検索やスピンドル制御等に支障を来すことはなくなる。
また、差演算前の各入力系の最大振幅を基準値に一致させることにより、プッシュプル回路それ自体から異常なラジアルプッシュプル信号が出力されることを可及的に抑制し、プリピット検出精度をより一層向上させることができる。
【００１５】
また、プリピット検出用比較器の閾値については、プッシュプル信号の最大振幅が一致されるべき基準値に基づいて設定することが好ましい。
【００１６】
このような構成によれば、プッシュプル信号の最大振幅値と比較用閾値との間には常に一定のレベル差が維持されるため、ラジアルプッシュプル信号の最大振幅レベルを一定に維持することと相まって、プリピット検出精度を向上させることができる。
【００１９】
また、ＡＧＣ回路が、プッシュプル信号の振幅を調整する可変利得増幅器と、該可変利得増幅器の出力信号の振幅を検出する振幅検出器と、該振幅検出器の出力値と所定の基準値とに基づいて前記可変利得増幅器の利得を制御するための利得制御信号を生成する差演算回路とを含み、かつ前記振幅検出器が、前段に位置する時定数の小さい第１のピークホールド回路と、後段に位置する時定数の大きな第２のピークホールド回路とを含むことが好ましい。
【００２０】
このような構成によれば、プリピットに相当する急峻な変化成分を確実に捉えしかもこれをプリピットの出現間隔に亘り適切に保持することができる。
【００２１】
さらに、第１のピークホールド回路と第２のピークホールド回路との間には、振幅制限回路を介在させることが好ましい。
【００２２】
このような構成によれば、ディスク上のディフェクトをプリピットと誤検出する可能性を低減することができる。
【００２３】
【発明の実施の形態】
以下に、本発明の好適な実施の一形態を添付図面（図１〜図１０）に基づいて詳細に説明する。
【００２４】
［記録媒体の構造］
実施形態のプリピット検出装置が内蔵される情報記録装置で取り扱われるＤＶＤ−Ｒの構造を説明する。
【００２５】
図１において、符号１で示されるのは、色素膜５を備えた一回のみ情報の書込みが可能な色素型ＤＶＤ−Ｒである。このＤＶＤ−Ｒ１には、情報トラックとしてのグルーブトラック２と、グルーブトラック２に再生光又は記録光としてのレーザビーム等の光ビームＢを誘導するための隣接トラックとしてのランドトラック３と、それらを保護するための保護膜７及び記録された情報を再生する際に光ビームＢを反射するための金蒸着面６とが設けられている。
【００２６】
ＤＶＤ−Ｒ１上のランドトラック３には、プリ情報に対応するプリピット４が、出荷前に予め形成されている。グルーブトラック２はＤＶＤ−Ｒ１の定格回転速度に対応する周波数でウォブリングされている。グルーブトラック２のウォブリングによる記録制御情報の記録は、プリピット４と同様に、ＤＶＤ−Ｒ１を出荷する前に予め実行される。
【００２７】
ＤＶＤ−Ｒ１に記録情報（プリ情報以外の本来記録すべき画像情報等の情報をいう。以下同じ。）を記録する際には、後述の情報記録装置においてグルーブトラック２のウォブリングの周波数をサンプリングすると共にプリピット４を検出することによりプリ情報を検出し、これらによりＤＶＤ−Ｒ１を所定の回転速度で回転制御する。これと並行して、取得したプリ情報に基づいて記録光としての光ビームＢの最適出力等が設定されると共に、記録情報を記録すべきＤＶＤ−Ｒ１上の位置であるアドレス情報等が取得され、このアドレス情報に基づいて記録情報が対応する記録位置に記録される。ここで、記録情報の記録時には、光ビームＢをその中心がグルーブトラック２の中心と一致するように照射してグルーブトラック２上に記録情報に対応する記録情報ピットを形成する。このとき、光スポットＳＰの大きさは、図１に示すように、グルーブトラック２だけでなくその一部がランドトラック３にも照射されるように設定される。
【００２８】
ランドトラック３に照射された光スポットＳＰの一部の反射光を用いてプッシュプル法（ＤＶＤ−Ｒ１の回転方向に平行な分割線により分割された光検出器を用いたプッシュプル法（以下、ラジアルプッシュプル方式という。））により、プリピット４からプリ情報が検出・取得される。グルーブトラック２に照射されている光スポットＳＰの反射光を用いてグルーブトラック２からプリ情報としてウォブリング信号が検出されて回転制御用のクロック信号が取得される。
【００２９】
［プリ情報の記録フォーマット］
次に、ＤＶＤ−Ｒ１に予め記録されているプリ情報の記録フォーマットについて、図２を用いて説明する。なお、図２において、上段は記録情報における記録フォーマットを示し、下段の波型波形は当該記録情報を記録するグルーブトラック２のウォブリング状態（グルーブトラック２の平面図）を示し、記録情報とグルーブトラック２のウォブリング状態の間の上向き矢印は、プリピット４が形成される位置を模式的に示す。また、図２においては、グルーブトラック２のウォブリング状態は、理解の容易のため実際の振幅よりも大きい振幅を用いて示してあり、記録情報は当該グルーブトラック２の中心線上に記録される。
【００３０】
図２に示すように、ＤＶＤ−Ｒ１に記録される記録情報は、予め情報単位としてのシンクフレーム毎に分割されている。２６個のシンクフレームにより１個のレコーディングセクタが形成される。更に、１６個のレコーディングセクタにより１個のＥＣＣ（Error Correcting Code）ブロックが形成される。なお、１個ののシンクフレームは、記録情報を記録する際の記録フォーマットにより規定されるビット間隔に対応する単位長さ（以下、Ｔという。）の１４８８倍（１４８８Ｔ）の長さを有しており、更に、１個ののシンクフレームの先頭の１４Ｔの長さの部分にはシンクフレーム毎の同期を取るための同期情報ＳＹが記録される。
【００３１】
この例では、ＤＶＤ−Ｒ１に記録されるプリ情報は、シンクフレーム毎に記録される。ここで、プリピット４によるプリ情報の記録においては、記録情報を構成する夫々のシンクフレームにおける同期情報ＳＹが記録される領域に隣接するランドトラック３上に、プリ情報における同期信号を示すものとして必ず１個ののプリピット４が形成される。当該同期情報ＳＹ以外の当該シンクフレーム内の前半部分に隣接するランドトラック３上には、記録すべきプリ情報の内容（アドレス情報）を示すものとして１個又は２個のプリピット４が形成される（なお、同期情報ＳＹ以外の当該シンクフレーム内の前半部分については、記録すべきプリ情報の内容によってはプリピット４が形成されない場合もある。）。この際、この例では、１個のレコーディングセクタにおいては、偶数番目のシンクフレーム（以下、ＥＶＥＮフレームという。）のみ又は奇数番目のシンクフレーム（以下、ＯＤＤフレームという。）のみにプリピット４が形成されてプリ情報が記録される。すなわち、図２において、ＥＶＥＮフレームにプリピット４が形成された場合には（図２において実線上向き矢印で示す。）それに隣接するＯＤＤフレームにはプリピット４は形成されない。
【００３２】
グルーブトラック２は、全てのシンクフレームに亘って１４０ｋＨｚ（１個のシンクフレームが８波に相当する周波数であり、その周期は１８６Ｔに相当する。）の一定ウォブリング周波数ｆ0でウォブリングされている。後述の情報記録装置において、当該一定のウォブリング周波数ｆ0を有するウォブリング信号を検出することでスピンドルモータの回転制御のための信号が検出される。
【００３３】
［情報記録装置の全体構成及び動作］
次に、実施形態のプリピット検出装置が含まれる情報記録装置の全体構成を、図３乃至図６に基づいて説明する。なお、以下の説明は、ホストコンピュータから送信されてくるディジタル情報を、ＤＶＤ−Ｒ１に対して記録するため情報記録装置を説明するものである。
【００３４】
はじめに、情報記録装置の全体構成及び動作を、図３を参照して説明する。なお、ＤＶＤ−Ｒ１には、当該ＤＶＤ−Ｒ１上のアドレス情報等を含むプリピット４及びウォブリングするグルーブトラック２が予め形成されており、ディジタル情報の記録時には、当該プリピット４を予め検出することによりＤＶＤ−Ｒ１上のアドレス情報等を得、これによりディジタル情報を記録するＤＶＤ−Ｒ１上の記録位置を検出するものとする。
【００３５】
図３に示すように、情報記録装置Ｓは、ピックアップ１０と、再生増幅器１１と、デコーダ１２と、ＣＰＵ１３と、エンコーダ１４と、パワー制御回路１５と、レーザ駆動回路１６と、プリピット信号デコーダ１８と、プリピット信号検出器（本発明のプリピット検出装置に相当）１９と、位相比較器２１及び２３と、ウォブリング信号抽出器２２と、基準クロック発生器２４と、スピンドルドライバ２５と、スピンドルモータ２６と、ＬＰＦ（Low Pass Filter）２８と、ＶＣＯ（Voltage Controlled Oscillator）２９とにより構成されている。この情報記録装置Ｓには、外部のホストコンピュータから記録すべきディジタル情報Ｓrrがインターフェース１７を介して入力されている。
【００３６】
次に、全体の動作を説明する。ピックアップ１０は、図示しないレーザダイオード、偏光ビームスプリッタ、対物レンズ、光検出器（後述する４分割ディテクタ１０１）を含み、レーザ駆動信号Ｓdlに基づいて光ビームＢをＤＶＤ−Ｒ１の情報記録面に照射し、その反射光に基づいてラジアルプッシュプル方式により上記プリピット４及びグルーブトラック２のウォブリング信号を検出して記録すべきディジタル情報Ｓrrを記録すると共に、既に記録されているディジタル情報がある場合には、上記光ビームＢの反射光に基づいて当該既に記録されているディジタル情報を検出する。
【００３７】
再生増幅器１１は、ピックアップ１０から出力されたプリピット４及びグルーブトラック２のウォブリング信号に対応する情報を含むピックアップ検出信号をＳdtを増幅し、プリピット４及びグルーブトラック２のウォブリング信号に対応するプリ情報信号Ｓppを出力すると共に、既に記録されているディジタル情報に対応する増幅信号Ｓpを出力する。その後、デコーダ１２は、増幅信号Ｓpに対して８−１６復調及びデインターリーブを施すことにより当該増幅信号Ｓpをデコードし、復調信号ＳdmをＣＰＵ１３に出力する。
【００３８】
プリピット信号検出器１９は、本発明の要部を構成するものであり、のちに詳細に説明するように、プリ情報信号Ｓppに基づいてピット検出信号Ｓpdとしてのパルス信号をプリピット信号デコーダ１８及び位相比較器２３に出力する。
【００３９】
位相比較器２３、ＬＰＦ２８、及びＶＣＯ２９はいわゆるＰＬＬ回路を構成するものであり、入力されたプリピット検出信号Ｓpdの位相に同期した記録用クロック信号Ｓcrをエンコーダ１４及びプリピット信号検出器１９に出力する。
【００４０】
ウォブリング信号抽出器２２は、プリ情報信号Ｓppからウォブリング信号成分を抽出するＢＰＦ（Band Pass Filter）と、当該抽出されたウォブリング信号成分を所定の基準値と比較するコンパレータとを備え、当該ウォブリング信号成分の増幅レベルが上記基準値よりも大となる期間だけパルス信号を出力する。すなわち、当該ウォブリング信号成分をパルス列化し、抽出ウォブリング信号Ｓwbとして、位相比較器２１に出力する。
【００４１】
位相比較器２１は、入力された抽出ウォブリング信号Ｓwbと基準クロック発生器２４から供給されるＤＶＤ−Ｒ１の回転速度の基準周波数成分を含む基準クロック信号Ｓrefとの位相比較を行い、その差信号を回転制御信号としてスピンドルドライバ２５を介してスピンドルモータ２６に供給する。これにより、スピンドルモータ２６に対してスピンドルサーボ制御が施され、ＤＶＤ−Ｒ１は基準クロック信号Ｓrefの周波数及び位相に基づいた回転速度で回転することとなる。
【００４２】
インターフェース１７は、ＣＰＵ１３の制御のもと、ホストコンピュータから送信されてくるディジタル情報Ｓrrに対して、当該ディジタル情報Ｓrrを情報記録装置Ｓに取り込むためのインターフェース動作を行い、インターフェース処理後のディジタル情報ＳrrをＣＰＵ１３を介してエンコーダ１４に出力する。
【００４３】
これにより、エンコーダ１４は、ＶＣＯ２９からの記録用クロック信号Ｓcrをタイミング信号として、図示しないＥＣＣジェネレート処理、８−１６変調並びにスクランブル処理を施して変調信号Ｓreを生成し、パワー制御回路１５及びプリピット信号検出器１９に出力する。
【００４４】
その後、パワー制御回路１５は、ＤＶＤ−Ｒ１上に形成される記録ピットの形状を良好とすべく、上記記録用クロック信号Ｓcrに基づいて変調信号Ｓreの波形変換（いわゆるライトストラテジ処理）を行い、ピックアップ１０内の図示しないレーザダイオードを駆動するための記録信号Ｓdとして出力する。
【００４５】
レーザ駆動回路１６は、記録信号Ｓdに基づいて、実際に上記レーザダイオードを駆動して光ビームＢを出射させるための上記レーザ駆動信号Ｓdlを出力する。
【００４６】
最後に、ＣＰＵ１３は、プリピット検出信号Ｓpdに基づいて上記プリビット信号デコーダ１８から出力されるプリ情報デコード信号Ｓpjに基づいて上記プリ情報を取得し、当該プリ情報に含まれているアドレス情報に対応するＤＶＤ−Ｒ１上の位置にディジタル情報Ｓrrを記録する動作を制御する。これと並行して、ＣＰＵ１３は、復調信号Ｓdmに基づいて、既に記録されていたディジタル情報に対応する再生信号をインターフェース１７を介して外部に出力すると共に、情報記録装置Ｓ全体を制御する。
【００４７】
更に、ＣＰＵ１３は、情報記録装置Ｓが記録状態であるか又は再生状態であるかを示す状態表示信号Ｓrpを生成し、プリピット信号検出器１９に出力する。
【００４８】
［プリピット検出装置の詳細］
上述のプリピット検出器１９として機能するプリピット検出装置の具体的な構成の一例が図４〜図７に、またその動作波形図が図８に示されている。なお、それらの図において、図１１〜図１４の従来例と同一構成部分については、同符号を付すことにより、説明は省略する。
【００４９】
図４に示されるように、このプリピット検出装置は、プリ情報信号生成用プッシュプル回路５００の出力側に、マーク期間ビーム強度に対応するプリピット検出回路６００とスペース期間ビーム強度に対応するプリピット検出回路７００とを並列に設け、両プリピット検出回路６００，７００の出力（ｉ−１，ｉ−２）の論理和を論理和演算部１０６で求め、これをプリピット検出信号（ｌ）として最終的に出力するものである。
【００５０】
プッシュプル回路５００の内部構成が図５に示されている。同図に示されるように、プッシュプル回路５００は、左側ＡＧＣ回路５０１と右側ＡＧＣ回路５０２とからなる２個のＡＧＣ（Auto Gain Control）回路を有する。左側ＡＧＣ回路５０１は、左側領域受光信号（ａ−１）から得られる信号の最大振幅を基準値（ＲＥＦRF）に一致させる機能を有する。同様に、右側ＡＧＣ回路５０２は、右側領域受光信号（ａ−２）から得られる信号の最大振幅を基準値（ＲＥＦRF）に一致させる機能を有する。
【００５１】
より具体的には、左側ＡＧＣ回路５０１は、左側領域受光信号（ａ−１）の信号経路に介在された可変利得増幅器５０３と、可変利得増幅器５０３の出力（ｃ−１）の振幅を検出する振幅検出器５０４と、振幅検出器５０４の出力電圧（ｂ−１）と基準電圧（ＲＥＦRF）５０５との偏差を得るための差演算部５０８とを有し、この差演算部５０８で得られた偏差信号を可変利得増幅器５０３の利得制御入力へと供給するように構成されている。これにより、可変利得増幅器５０３の利得は、その出力信号の振幅が基準電圧（ＲＥＦRF）と一致するように制御される。同様にして、左側ＡＧＣ回路５０２は、左側領域受光信号（ａ−２）の信号経路に介在された可変利得増幅器５０６と、可変利得増幅器５０６の出力（ｃ−２）の振幅を検出する振幅検出器５０７と、振幅検出器５０７の出力電圧（ｂ−２）と基準電圧（ＲＥＦRF）５０５との偏差を得るための差演算部５０９とを有し、この差演算部５０９で得られた偏差信号を可変利得増幅器５０６の利得制御入力へと供給するように構成されている。これにより、可変利得増幅器５０６の利得は、その出力信号の振幅が基準電圧（ＲＥＦRF）と一致するように制御される。
【００５２】
左側ＡＧＣ回路５０１を構成する可変利得増幅器５０３の出力（ｃ−１）と
右側ＡＧＣ回路５０３を構成する可変利得増幅器５０６の出力（ｃ−２）とは、差演算部５１０にて差分演算がなされ、その演算結果がプッシュプル信号（ｄ）として出力される。
【００５３】
このように、プリ情報信号生成用プッシュプル回路５００を構成する差演算部５１０の各入力系には、受光素子である４分割ディテクタ１０１から得られる左側受光信号（ａ−１）並びに右側受光信号（ａ−２）の最大振幅を基準値（ＲＥＦRF）に一致させるＡＧＣ回路５０１，５０２が設けられている。そのため、プッシュプル回路５００それ自体から異常なラジアルプッシュプル信号（ｄ）が出力されることを可及的に抑制することができる。
【００５４】
マーク期間ビーム強度に対応するプリピット検出回路６００の内部構成が図６に示されている。同図に示されるように、プリピット検出回路６００内におけるプリピット検出用比較器６０６の前段には、プッシュプル回路５００から得られるラジアルプッシュプル信号（ｄ）の最大振幅を基準値（ＲＥＦMark）に一致させるためのＡＧＣ回路６０１が設けられている。ＡＧＣ回路６０１は、ラジアルプッシュプル信号（ｄ）の信号経路に介在された可変利得増幅器６０２と、可変利得増幅器６０２の出力（ｆ−１）の振幅を検出する振幅検出器６０３と、振幅検出器６０３の出力電圧（ｅ−１）と基準電圧（ＲＥＦMark）６０４との偏差を得るための差演算部６０５とを有し、この差演算部６０５で得られた偏差信号を可変利得増幅器６０２の利得制御入力へと供給するように構成されている。これにより、可変利得増幅器６０２の利得は、その出力信号（ｆ−１）の振幅が基準電圧（ＲＥＦMark）と常に一致するように制御される。
【００５５】
プリピット検出回路６００内における比較器６０６は、可変利得増幅器６０２の出力信号（ｆ−１）の振幅を所定の閾値ＶＴ１と比較して２値化することによりプリピットを検出する。ここで、閾値ＶＴ１の値は、基準電圧（ＲＥＦMark）６０４からマーク相当電圧（ＶMark）を差し引くことで生成される。そのため、このような構成によれば、プッシュプル信号の最大振幅値（ｆ−１）と比較用閾値（ＶＴ１）との間には常に一定のレベル差（ＶMark）が維持されるため、ラジアルプッシュプル信号の最大振幅レベルを一定に維持することと相まって、プリピット検出精度を向上させることができる。
【００５６】
比較器６０６の出力信号（ｇ−１）は、ゲート信号（ｈ−１）にて開閉制御されるサンプリングゲート６０９にてゲーティングされたのち、マーク側プリピット検出信号（ｉ−１）として、論理和演算部１０６へと送出される。
【００５７】
スペース期間ビーム強度に対応するプリピット検出回路７００の内部構成が図７に示されている。同図に示されるように、プリピット検出回路７００内におけるプリピット検出用比較器７０６の前段には、プッシュプル回路５００から得られるラジアルプッシュプル信号（ｄ）の最大振幅を基準値（ＲＥＦSpace）に一致させるためのＡＧＣ回路７０１が設けられている。ＡＧＣ回路７０１は、ラジアルプッシュプル信号（ｄ）の信号経路に介在された可変利得増幅器７０２と、可変利得増幅器７０２の出力（ｆ−２）の振幅をサンプル回路７１０を介して検出する振幅検出器７０３と、振幅検出器７０３の出力電圧（ｅ−２）と基準電圧（ＲＥＦSpace）７０４との偏差を得るための差演算部７０５とを有し、この差演算部７０５で得られた偏差信号を可変利得増幅器７０２の利得制御入力へと供給するように構成されている。これにより、可変利得増幅器７０２の利得は、その出力信号（ｆ−２）のスペース期間における最大振幅が基準電圧（ＲＥＦSpace）と常に一致するように制御される。
【００５８】
なお、図中、サンプル回路７１０は、ゲート信号発生器１０５から供給されるスペース期間を示す、ゲート信号（ｈ−２）のＨレベル期間において与えられる可変利得増幅器（ｆ−２）からのプッシュプル信号を選択的に抽出する作用を担うものである。また、振幅検出器７０３はいわゆるピークホールド回路として作用するものである。そのため、それらサンプル回路７１０と振幅検出器７０３とが協動することにより、スペース期間における最大振幅値が検出されてこれが保持される。図６に示されるプリピット検出回路６００には、サンプル回路７１０に相当する回路は存在しない。これは、マーク期間ビーム強度がスペース期間ビーム強度より常に大であるため、マーク期間に得られる最大振幅値は必ずスペース期間に得られる最大振幅値より大となるからである。
【００５９】
プリピット検出回路７００内における比較器７０６は、可変利得増幅器７０２の出力信号（ｆ−２）の振幅を所定の閾値ＶＴ２と比較して２値化することによりスペース期間ビーム強度時に存在するプリピットを検出する。ここで、閾値ＶＴ２の値は、基準電圧（ＲＥＦSpace）７０４からスペース相当電圧（ＶSpace）を差し引くことで生成される。そのため、このような構成によれば、プッシュプル信号の最大振幅値（ｆ−２）と比較用閾値（ＶＴ２）との間には常に一定のレベル差（ＶSpace）が維持されるため、ラジアルプッシュプル信号の最大振幅レベルを一定に維持することと相まって、プリピット検出精度を向上させることができる。
【００６０】
比較器７０６の出力信号（ｇ−２）は、ゲート信号（ｈ−２）にて開閉制御されるサンプリングゲート７０９にてゲーティングされたのち、スペース側プリピット検出信号（ｉ−２）として、論理和演算部１０６へと送出される。
【００６１】
マーク期間ビーム強度対応のプリピット検出回路６００から得られるプリピット検出信号（ｉ−１）とスペース期間強度対応のプリピット検出回路７００から得られるプリピット検出信号（ｉ−２）とは、論理和演算部１０６にて論理和演算されたのち、最終的なプリピット検出信号（ｌ）として出力される。
【００６２】
以上の実施形態におけるプリピット検出装置によれば、図８の動作波形図に示されるように、マーク期間ビーム強度におけるラジアルプッシュプル信号（ｄ）の最大振幅は常に基準値（ＲＥＦMark）に一致され、同時に、スペース期間ビーム強度におけるラジアルプッシュプル信号（ｄ）の最大振幅も常に基準値（ＲＥＦSpace）に一致される。加えて、マーク期間ビーム強度におけるプリピット検出用閾値の値は基準値（ＲＥＦMark）から一定電圧（ＶMark）を差し引いた値となり、同時に、スペース期間ビーム強度におけるプリピット検出用閾値の値は基準値（ＲＥＦSpace）から一定電圧（ＶSpace）を差し引いた値となる。そのため、このような構成によれば、プッシュプル信号の最大振幅値と比較用閾値との間には常に一定のレベル差が維持されるため、ラジアルプッシュプル信号の最大振幅レベルを一定に維持することと相まって、プリピット検出精度を向上させることができる。
【００６３】
加えて、プリ情報信号生成用プッシュプル回路５００を構成する差演算部５１０の各入力系には、受光素子である４分割ディテクタ１０１から得られる左側受光信号（ａ−１）並びに右側受光信号（ａ−２）の最大振幅を基準値（ＲＥＦRF）に一致させるＡＧＣ回路５０１，５０２が設けられているため、プッシュプル回路５００それ自体から異常なラジアルプッシュプル信号（ｄ）が出力されることを可及的に抑制することができ、この面からもプリピット検出精度を向上させることができる。
【００６４】
なお、以上の実施形態において、振幅検出器５０４，５０７，６０３，７０３については、いわゆる公知のピークホールド回路にて容易に実現することができる。もっとも、プリピット検出回路６００，７００に含まれる振幅検出器６０３，７０３については、以下のような工夫を施すことが好ましい。
【００６５】
すなわち、図９（ａ）に示されるように、振幅検出器６０３は、可変利得増幅器６０２の出力信号（ｆ−１）のピークをホールドする時定数の小さな（高帯域な）第１のピークホールド回路６０３ａと、第１のピークホールド回路６０３ａの出力信号（ｐ−１）の振幅を一定値（ＳＬ）に制限してディフェクト等の影響を排除するための振幅制限回路６０３ｂと、振幅制限回路６０３ｂの出力信号（ｑ−１）のピークをホールドする時定数の大きな（低帯域な）第２のピークホールド回路６０３ｃとを含んで構成されている。同様にして、図９（ｂ）に示されるように、振幅検出器７０３は、サンプル回路７１０を介して得られる可変利得増幅器７０２の出力信号（ｆ−２）のピークをホールドする時定数の小さな（高帯域な）第１のピークホールド回路７０３ａと、第１のピークホールド回路７０３ａの出力信号（ｐ−１）の振幅を一定値（ＳＬ）に制限してディフェクト等の影響を排除するための振幅制限回路７０３ｂと、振幅制限回路７０３ｂの出力信号（ｑ−１）のピークをホールドする時定数の大きな（低帯域な）第２のピークホールド回路７０３ｃとを含んで構成されている。それらの回路（６０３ａ，６０３ｂ，６０３ｃ，７０３ａ，７０３ｂ，７０３ｃ）の出力信号の波形図が図１０に示されている。
【００６６】
このような回路構成を採用する理由は次の通りである。振幅検出器６０３，７０３は、プリピットの検出を目的とするものであるから、プリピットに相当する振幅値（プリピットはウォブル信号の最大振幅値位置に重畳された形で与えられる）を保持する必要がある。そのため、振幅検出器６０３，７０３としては、プリピット成分に追従できるだけの帯域（高帯域）が必要となる。一方、図２を参照して先に説明したように、プリピットは２シンクフレーム毎にしか得ることができないので、検出した振幅値を少なくとも２シンクフレームの期間だけ保持しなくてはならない。ところが、一般的に、高帯域の検出器（ピークホールド回路）における時定数は小さいため、上記２つの特性（高帯域と大時定数）は互いに相反する特性とを要求することとなる。
【００６７】
そのため、この実施形態においては、図９に示されるように、高帯域で低時定数の第１のピークホールド回路（６０３ａ，７０３ａ）と、低帯域で大時定数の第２のピークホールド回路（６０３ｃ，７０３ｃ）を直列に接続することにより、相反する２つの特性を実現している。
【００６８】
また、ディスク上の欠陥（埃や傷等に起因して発生する）による最大振幅値の誤検出を防止するために、所定のスライスレベル（ＳＬ）で振幅制限を行う振幅制限回路（６０３ｂ，７０３ｂ）を第１のピークホールド回路（６０３ａ，７０３ａ）と第２のピークホールド回路（６０３ｃ，７０３ｃ）との間に配置している。このスライスレベル（ＳＬ）の値は、例えば、ウォブル信号にプリピット信号が重畳された状態で得られるプッシュプル信号の最大振幅値に対して１０％程度大きいレベルに設定される。このような振幅制限を行うことにより、ディフェクトの発生による最大振幅値の変動を抑制することができるので、ディフェクトによる振幅値をプリピットによる振幅値と誤認することが防止される。
【００６９】
【発明の効果】
以上の説明で明らかなように、この発明によれば、ラジアルプッシュプル信号の振幅レベルに変動があっても、プリピットを正確に検出できるようにしたプリピット検出装置を提供することができる。
【図面の簡単な説明】
【図１】ランドトラックにプリピットを形成したＤＶＤ−Ｒの例を示す説明図である。
【図２】ＤＶＤ−Ｒにおける記録フォーマットの一例を示す説明図である。
【図３】情報記録装置の概要構成を示すブロック図である。
【図４】本発明のプリピット検出装置の全体構成を示すブロック図である。
【図５】本発明装置のプッシュプル回路の内部構成を示す図である。
【図６】本発明装置のマーク期間ビーム強度用プリピット検出回路の内部構成を示すブロック図である。
【図７】本発明装置のスペース期間ビーム強度用プリピット検出回路の内部構成を示すブロック図である。
【図８】本発明のプリピット検出装置の動作を示す波形図である。
【図９】振幅検出器６０３，７０３の内部回路構成を示すプロックズである。
【図１０】振幅検出器６０３，７０３の動作波形図である。
【図１１】従来のプリピット検出装置の全体構成を示すブロック図である。
【図１２】従来装置のプッシュプル回路の内部構成を示す図である。
【図１３】従来装置のマーク期間、スペース期間ビーム強度用プリピット検出回路の内部構成を示すブロック図である。
【図１４】従来のプリピット検出装置の動作を示す波形図である。
【符号の説明】
１９      プリピット検出器
１０２，１０３      加算部
１０４      ＤＶＤエンコーダ
１０５      ゲート信号発生器
１０６      論理和演算部
５００      プッシュプル回路
５０１      ＡＧＣ回路
５０２      ＡＧＣ回路
５０３      可変利得増幅器
５０４      振幅検知器
５０５      基準電圧
５０６      可変利得増幅器
５０７      振幅検知器
５０８      差演算部
５０９      差演算部
６００      プリピット検出回路（マーク期間ビーム強度用）
６０１      ＡＧＣ回路
６０２      可変利得増幅器
６０３      振幅検知器
６０３ａ    第１のピークホールド回路
６０３ｂ    振幅制限回路
６０３ｃ    第２のピークホールド回路
６０４      基準電圧
６０５      差演算部
６０６      比較器
６０７      差演算部
６０８      マーク相当電圧
６０９      サンプリングゲート
７００      プリピット検出回路（スペース期間ビーム強度用）
７０１      ＡＧＣ回路
７０２      可変利得増幅器
７０３      振幅検知器
７０３ａ    第１のピークホールド回路
７０３ｂ    振幅制限回路
７０３ｃ    第２のピークホールド回路
７０４      基準電圧
７０５      差演算部
７０６      比較器
７０７      差演算部
７０８      スペース相当電圧
７０９      サンプリングゲート
７１０      サンプル回路
ｄ          ラジアルプッシュプル信号
ｌ          プリピット検出信号
ＶＴ１      マーク期間ビーム強度時の閾値電圧
ＶＴ２      スペース期間ビーム強度時の閾値電圧
【図１】
0003968193.tif 000002
【図２】
0003968193.tif 000003
【図３】
0003968193.tif 000004
【図４】
0003968193.tif 000005
【図５】
0003968193.tif 000006
【図６】
0003968193.tif 000007
【図７】
0003968193.tif 000008
【図８】
0003968193.tif 000009
【図９】
0003968193.tif 000010
【図１０】
0003968193.tif 000011
【図１１】
0003968193.tif 000012
【図１２】
0003968193.tif 000013
【図１３】
0003968193.tif 000014
【図１４】
0003968193.tif 000015